(57)【要約】【課題】  より短時間で複数の原稿束を読み取り、各原稿束に対して異なる画像処理を行うことができる画像処理装置を提供することを目的とする。【解決手段】  ２以上の原稿１０を読み取って、それらの原稿１０の色情報を判定することにより処理対象原稿１１及び処理指定原稿１２を判別し、処理対象原稿１１の画像データに対して処理指定原稿１２の色情報に対応する画像処理を行う。これにより、各原稿束に対応付けて１枚の処理指定原稿１２を読み取らせるだけで、各原稿束に対する画像処理を指定することができるので、各原稿束の間に挿入する白紙原稿の枚数に応じて画像処理の種類を異ならせるような構成とは異なり、より短時間で複数の原稿束を読み取り、各原稿束に対して異なる画像処理を行うことができる。【選択図】  図２
2009044284.tif 000002
【特許請求の範囲】
【請求項１】
処理対象原稿及び処理指定原稿を含む２以上の原稿を読み取る原稿読取手段と、
読み取られた上記２以上の原稿の画像データに基づいて、当該原稿の色情報を判定する色情報判定手段と、
上記色情報判定手段の判定結果に基づいて、上記処理対象原稿及び上記処理指定原稿を判別する原稿判別手段と、
読み取られた上記処理対象原稿の画像データに対して、上記処理指定原稿の色情報に対応する画像処理を行う画像処理手段とを備えたことを特徴とする画像処理装置。
【請求項２】
上記２以上の原稿を送り出す自動原稿供給手段を備え、
上記原稿読取手段は、上記自動原稿供給手段により送り出された上記２以上の原稿を読み取ることを特徴とする請求項１に記載の画像処理装置。
【請求項３】
上記色情報判定手段は、読み取られた原稿の画像データに基づいて、当該原稿の地色が有彩色及び無彩色のいずれであるかを判別し、
上記原稿判別手段は、地色が有彩色である原稿を上記処理指定原稿と判別し、地色が無彩色である原稿を上記処理対象原稿と判別することを特徴とする請求項１に記載の画像処理装置。
【請求項４】
読み取られた上記２以上の原稿の画像データに基づいて、当該原稿が無地原稿であるか否かを判定する無地判定手段を備え、
上記原稿判別手段は、上記色情報判定手段及び上記無地判定手段の判定結果に基づいて、上記処理対象原稿及び上記処理指定原稿を判別することを特徴とする請求項１に記載の画像処理装置。
【請求項５】
読み取られた上記２以上の原稿の画像データに基づいて、当該原稿が無地原稿であるか否かを判定する無地判定手段と、
上記原稿判別手段が、無地原稿であるか否かに関わらず地色が有彩色である原稿を処理指定原稿として判別する第１モード、及び、上記原稿判別手段が無地原稿であって地色が有彩色である原稿を処理指定原稿として判別する第２モードを選択的に切り替える動作モード切替手段とを備えたことを特徴とする請求項１に記載の画像処理装置。
【発明の詳細な説明】
【技術分野】
【０００１】
本発明は、画像処理装置に係り、さらに詳しくは、読み取った原稿の画像データに対して画像処理を行う画像処理装置に関する。
【背景技術】
【０００２】
２以上の原稿を読み取り、それらの一連の原稿の各画像データに対して画像処理を行う画像処理装置が知られている。この種の画像処理装置の中には、複数種類の画像処理を実行可能であり、ユーザが所望の画像処理を指定することにより、読み取った複数枚の原稿の画像データに対して、指定した画像処理を行うことができるようになっているものがある。
【０００３】
上記のような画像処理装置においては、束ごとにそれぞれ異なる画像処理を行おうとしている原稿束が２以上ある場合に、各束の原稿を別々に読み取らせて、原稿束ごとに画像処理を指定する操作を行わなければならない。すなわち、複数束の原稿を一度に読み取ることができないため、作業が煩雑になるという問題があった。
【０００４】
そこで、特許文献１に開示されているような技術を利用して、各原稿束の間に白紙原稿を挿入し、それらの各原稿束及び白紙原稿を一度に読み取らせることにより、各原稿束の境界を検知し、原稿束ごとに異なる画像処理を行うことが考えられる。この場合、さらに特許文献２に開示されているような技術を利用して、各原稿束の間に挿入する白紙原稿の枚数に応じて、対応する原稿束に対する画像処理の種類を異ならせることが考えられる。
【特許文献１】特開平１０−２２４５７８号公報
【特許文献２】特開２００６−２０３４３３号公報
【発明の開示】
【発明が解決しようとする課題】
【０００５】
しかしながら、上記のように、各原稿束の間に挿入する白紙原稿の枚数に応じて、対応する原稿束に対する画像処理の種類を異ならせる場合、一度に読み取らせる原稿束の数が多く、かつ、各原稿束に対して異なる画像処理を行うような場合に、各原稿束の間に挿入する白紙原稿の枚数が多くなる。このように白紙原稿の枚数が多くなると、それだけ原稿の読み取りに要する時間が長くなってしまうという問題がある。
【０００６】
また、各原稿束の間に挿入する白紙原稿の枚数に応じて、対応する原稿束に対する画像処理の種類を異ならせる場合、各原稿束の間に挿入する白紙原稿の枚数の数え間違いが生じやすく、所望の種類とは異なる種類の画像処理が行われる可能性が高いという問題がある。
【０００７】
本発明は、上記の事情に鑑みてなされたものであり、より短時間で複数の原稿束を読み取り、各原稿束に対して異なる画像処理を行うことができる画像処理装置を提供することを目的とする。また、本発明は、複数の原稿束を読み取り、各原稿束に対して所望の画像処理をより確実に行うことができる画像処理装置を提供することを目的とする。
【課題を解決するための手段】
【０００８】
第１の本発明による画像処理装置は、処理対象原稿及び処理指定原稿を含む２以上の原稿を読み取る原稿読取手段と、読み取られた上記２以上の原稿の画像データに基づいて、当該原稿の色情報を判定する色情報判定手段と、上記色情報判定手段の判定結果に基づいて、上記処理対象原稿及び上記処理指定原稿を判別する原稿判別手段と、読み取られた上記処理対象原稿の画像データに対して、上記処理指定原稿の色情報に対応する画像処理を行う画像処理手段とを備えて構成される。
【０００９】
このような構成によれば、２以上の原稿を読み取って、それらの原稿の色情報を判定することにより処理対象原稿及び処理指定原稿を判別し、処理対象原稿の画像データに対して処理指定原稿の色情報に対応する画像処理を行うことができる。これにより、例えば処理対象原稿からなる複数の原稿束を読み取る場合に、各原稿束に対して行う画像処理に対応する色の処理指定原稿を原稿束ごとに読み取ることにより、読み取った処理指定原稿の色情報に基づく画像処理を対応する処理対象原稿の原稿束に対して行うことができる。
【００１０】
したがって、各原稿束に対応付けて１枚の処理指定原稿を読み取らせるだけで、各原稿束に対する画像処理を指定することができるので、各原稿束の間に挿入する白紙原稿の枚数に応じて画像処理の種類を異ならせるような構成とは異なり、より短時間で複数の原稿束を読み取り、各原稿束に対して異なる画像処理を行うことができる。
【００１１】
また、各原稿束の間に挿入する白紙原稿の枚数に応じて画像処理の種類を異ならせる構成のように、挿入する白紙原稿の枚数の数え間違いによって所望の種類とは異なる種類の画像処理が行われるのを防止でき、各原稿束に対して所望の画像処理をより確実に行うことができる。
【００１２】
第２の本発明による画像処理装置は、上記構成に加えて、上記２以上の原稿を送り出す自動原稿供給手段を備え、上記原稿読取手段が、上記自動原稿供給手段により送り出された上記２以上の原稿を読み取るように構成される。
【００１３】
このような構成によれば、自動原稿供給手段により２以上の原稿を送り出して、それらの原稿を読み取らせることにより、読み取られた処理対象原稿の画像データに対して処理指定原稿の色情報に対応する画像処理を行うことができる。
【００１４】
ここで、自動原稿供給手段により複数枚の原稿を原稿読取手段へ送り出す場合、原稿が搬送方向に対して斜めにずれた状態で搬送されてしまう場合がある。特に、複数枚の原稿の画像データに対して高速で画像処理を行うような画像処理装置においては、自動原稿供給手段により送り出される原稿の速度が速く、上記のような問題が生じやすい。また、自動原稿供給手段により送り出す複数枚の原稿のサイズが異なる場合にも、上記のような問題が生じやすい。
【００１５】
このように原稿が斜めにずれた状態で搬送された場合、処理指定原稿に表されたシンボルを読み取って、そのシンボルに対応する画像処理を行うような構成では、当該シンボルを良好に読み取ることができないおそれがある。これに対して、本発明のように処理指定原稿の色情報に対応する画像処理を行うような構成であれば、処理指定原稿が斜めにずれた状態で搬送された場合であっても、処理指定原稿の色情報を良好に判定することができるので、処理対象原稿の画像データに対して所望の画像処理をより確実に行うことができる。
【００１６】
第３の本発明による画像処理装置は、上記構成に加えて、上記色情報判定手段が、読み取られた原稿の画像データに基づいて、当該原稿の地色が有彩色及び無彩色のいずれであるかを判別し、上記原稿判別手段が、地色が有彩色である原稿を上記処理指定原稿と判別し、地色が無彩色である原稿を上記処理対象原稿と判別するように構成される。この様な構成によれば、地色が有彩色であれば処理指定原稿と判別されるので、文字などが記載された有彩色の用紙を処理指定原稿として用いることができる。
【００１７】
第４の本発明による画像処理装置は、上記構成に加えて、読み取られた上記２以上の原稿の画像データに基づいて、当該原稿が無地原稿であるか否かを判定する無地判定手段を備え、上記原稿判別手段が、上記色情報判定手段及び上記無地判定手段の判定結果に基づいて、上記処理対象原稿及び上記処理指定原稿を判別するように構成される。
【００１８】
このような構成によれば、読み取られた２以上の原稿のうち無地原稿のみを処理指定原稿と判別し、その処理指定原稿の色情報に対応する画像処理を処理対象原稿の画像データに対して行うことができる。したがって、処理指定原稿と同じ色の原稿に文字などを記載して、処理対象原稿として使用することができる。すなわち、処理指定原稿と同じ色の処理対象原稿が誤って処理指定原稿と判別されるのを防止できるので、処理対象原稿の画像データに対して所望の画像処理をより確実に行うことができる。
【００１９】
第５の本発明による画像処理装置は、上記構成に加えて、読み取られた上記２以上の原稿の画像データに基づいて、当該原稿が無地原稿であるか否かを判定する無地判定手段と、上記原稿判別手段が、無地原稿であるか否かに関わらず地色が有彩色である原稿を処理指定原稿として判別する第１モード、及び、上記原稿判別手段が無地原稿であって地色が有彩色である原稿を処理指定原稿として判別する第２モードを選択的に切り替える動作モード切替手段とを備えて構成される。この様な構成によれば、動作モードを切り替えることにより、文字などが記載された用紙であっても地色が有彩色であれば処理指定原稿として用いることができるとともに、地色が有彩色の用紙であっても文字などが記載されていれば処理対象原稿として用いることができる。
【発明の効果】
【００２０】
本発明によれば、各原稿束の間に挿入する白紙原稿の枚数に応じて画像処理の種類を異ならせるような構成とは異なり、より短時間で複数の原稿束を読み取り、各原稿束に対して異なる画像処理を行うことができる。また、各原稿束の間に挿入する白紙原稿の枚数に応じて画像処理の種類を異ならせる構成のように、挿入する白紙原稿の枚数の数え間違いによって所望の種類とは異なる種類の画像処理が行われるのを防止でき、各原稿束に対して所望の画像処理をより確実に行うことができる。
【発明を実施するための最良の形態】
【００２１】
実施の形態１．
図１は、本発明の実施の形態１による画像処理装置の構成例を示したブロック図であり、画像処理装置の一例としてデジタル複合機１を示している。このデジタル複合機１は、スキャナ２で読み取った原稿の画像データに基づいてプリンタ機構３で用紙に画像を印刷するコピー機能、スキャナ２で読み取った原稿の画像データを通信部４からファクシミリ送信するファクシミリ機能、スキャナ２で読み取った原稿の画像データを保存先である他の通信端末に転送するスキャン機能などを備えており、これらの機能を選択して実行することができるようになっている。
【００２２】
このデジタル複合機１には、上記のスキャナ２、プリンタ機構３及び通信部４に加えて、自動原稿供給部５及びメモリ６が備えられ、これらの動作が、プロセッサからなる制御部７により制御されるようになっている。メモリ６は、ＲＡＭ(Random Access Memory)やＲＯＭ(Read-Only Memory)により構成されている。ただし、メモリ６は、デジタル複合機１に備えられた構成に限らず、デジタル複合機１に接続される外部メモリにより構成されるものであってもよい。
【００２３】
スキャナ２は、原稿に向けて光を照射し、原稿からの反射光を受光することにより、その受光量に応じた信号を制御部７へ出力する原稿読取手段である。このスキャナ２からの信号に基づいて原稿の画像データが生成され、生成された画像データがメモリ６に格納される。
【００２４】
このデジタル複合機１には、原稿を１枚ずつ載置するための透明板（図示せず）が備えられており、この透明板上に載置された原稿の画像をスキャナ２で読み取ることができる。また、自動原稿供給部５は、ＡＤＦ（Automatic Document Feeder）と呼ばれる自動原稿供給手段であり、原稿トレイ（図示せず）上に載置された１ないし複数枚の原稿を自動原稿供給部５から１枚ずつ自動的に送り出すことにより、それらの原稿の画像をスキャナ２で順次に読み取らせることができる。
【００２５】
プリンタ機構３は、メモリ６に格納された画像データに基づいて用紙に画像を印刷する印刷手段である。このプリンタ機構３は、感光体ドラム、帯電器、現像装置、転写装置及び定着装置などからなる周知の印刷手段であるため、ここでは詳細な説明を省略することとする。
【００２６】
通信部４は、ファクシミリ装置などの相手方端末との間で通信を行う通信手段である。このデジタル複合機１がファクシミリ送信を行う場合には、通信部４が相手方のファクシミリ装置との間で接続状態を確立させた後、スキャナ２で読み取った原稿の画像データが送信される。一方、ファクシミリ受信を行う場合には、通信部４を介して相手方のファクシミリ装置から画像データを受信し、その画像データに基づく画像がプリンタ機構３において用紙に印刷される。
【００２７】
メモリ６に格納された画像データには、制御部７によって画像処理が行われる。例えば、コピー機能が選択されている場合には、印刷部数や、印刷後の用紙を部ごとに分けて出力するソート機能の実行の有無などのコピー設定に関する画像処理が行われる。ファクシミリ機能が選択されている場合には、送信先を含む送信設定に関する画像処理が行われる。スキャン機能が選択されている場合には、読み取った原稿の画像データの保存先を含むスキャン設定に関する画像処理が行われる。
【００２８】
図２は、スキャナ２で原稿１０を読み取らせる際の態様について説明するための図である。本実施の形態では、複数枚の原稿１０を１枚ずつ透明板上に載置し、又は、１枚ずつ自動原稿供給部５から送り出すことにより、それらの原稿１０の画像をスキャナ２で読み取らせ、一連の原稿１０の画像データを生成することができる。
【００２９】
この例では、上記のようにして複数枚の原稿１０の画像をスキャナ２で読み取らせる際、画像処理の対象となる原稿（以下、「処理対象原稿１１」と呼ぶ。）とは別に、画像処理の種類に対応付けられた原稿（以下、「処理指定原稿１２」と呼ぶ。）も一緒に読み取らせるようになっている。より具体的には、同一の画像処理を行う１ないし複数枚の処理対象原稿１１からなる原稿束の前に、その画像処理に対応する処理指定原稿１２を挿入して順次に読み取らせる。
【００３０】
したがって、図２のようにそれぞれ異なる画像処理を行う処理対象原稿１１の原稿束が２以上ある場合には、それぞれの原稿束の前に対応する処理指定原稿１２が挿入され、それらの処理対象原稿１１及び処理指定原稿１２が一連の原稿１０としてスキャナ２で読み取られることとなる。なお、本実施の形態では、説明を分かりやすくするために、原稿１０が複数枚の場合だけでなく、１枚の場合も「原稿束」として説明することとする。
【００３１】
処理対象原稿１１には、通常、スキャナ２に読み取らせる読み取り面上に文字や図形、写真といった画像が表されている。これに対して、処理指定原稿１２は、スキャナ２に読み取らせる読み取り面内には上記のような画像が表されておらず、当該読み取り面が画像処理の種類ごとに異なる地色を有する無地原稿からなる。この様な処理指定原稿１２には、スキャナ２に読み取らせる読み取り面の読み取り領域全体が単一色の無地原稿であれば、製造段階で有彩色の地色を有する無地原稿や、白地の紙に色付けすることによって有彩色で塗りつぶされた無地原稿を用いることができる。なお、ここでいう無地原稿とは、少なくともスキャナ２に読み取らせる読み取り面の読み取り領域内には文字などの画像が記載されていない原稿のことである。
【００３２】
本実施の形態では、処理指定原稿１２の画像データに基づいて当該処理指定原稿１２の地色が判定され、後続する処理対象原稿１１の画像データに対して判定された地色に対応する種類の画像処理が行われる。そして、その後に他の処理指定原稿１２が読み取られた場合には、その処理指定原稿１２の地色に対応して画像処理の種類が更新され、後続する処理対象原稿１１の画像データに対して更新された種類の画像処理が行われる。
【００３３】
図３は、制御部７の構成例を示した機能ブロック図である。制御部７は、スキャナ２で読み取られた一連の原稿１０の画像データに基づいて、各原稿１０が処理対象原稿１１及び処理指定原稿１２のいずれであるかを判別し、処理対象原稿１１の画像データに対して、処理指定原稿１２の地色に対応する画像処理を行う。制御部７は、無地判定部７１、色情報判定部７２、原稿判別部７３及び画像処理部７４を備え、これらの各機能ブロックは、制御部７が実行するコンピュータプログラムにより実現される。
【００３４】
スキャナ２で読み取られた原稿の画像データは、各ピクセルがＲ（赤）、Ｇ（緑）、Ｂ（青）の各色データにより表されている。これらのＲＧＢの各色データは、Ｙ（輝度）、Ｃｂ（青の色差分）、Ｃｒ（赤の色差分）のデータに変換され、無地判定部７１及び色情報判定部７２に入力される。
【００３５】
無地判定部７１は、スキャナ２で読み取られた原稿１０の画像データに基づいて、各原稿１０が、文字や図形、写真といった画像が表されていない地色のみからなる無地原稿であるか否かを判定する無地判定手段である。この無地判定部７１は、入力されたＹＣｂＣｒデータのうち、各ピクセルのＹデータのヒストグラムを求め、当該ヒストグラムに基づいて無地原稿であるか否かの判定を行う。より具体的には、Ｙデータの値を１６分割し、その分割領域のいずれかに該当するピクセル数が所定の閾値以上である場合、すなわち、ほとんどのピクセルがいずれかの分割領域に該当している場合には、無地原稿と判定されるようになっている。
【００３６】
色情報判定部７２は、スキャナ２で読み取られた原稿１０の画像データに基づいて、各原稿の地色を判定する色情報判定手段である。この色情報判定部７２は、入力されたＹＣｂＣｒデータに基づいて、原稿の地色が有彩色又は無彩色のいずれであるかの判定と、色の判定を行う。
【００３７】
色情報判定部７２による判定処理は、原稿１０から読み取られた各ピクセルの色差平面上での分布状態に基づいて行われる。ここでは、Ｃｂデータ及びＣｒデータからなる色差平面を複数の領域に分割し、原稿１０を構成するピクセルのうち、多数のピクセルが属している上記領域を求めることによって、当該原稿１０の地色を判定している。この場合、色差平面は、少なくとも無彩色領域及び有彩色領域に分割され、有彩色領域はさらに色の異なる２以上の領域に分割されている。例えば、１つの無彩色領域と、異なる色（１６色）がそれぞれ割り当てられた１６の有彩色領域とに分割されている。このため、多数のピクセルが無彩色領域に属してれいば、当該原稿１０の地色は無彩色であると判別することができ、いずれかの有彩色領域に属していれば、その地色は当該有彩色領域の色であると判別できる。
【００３８】
具体的には、原稿１０を構成する各ピクセルの色差データに基づいて、当該ピクセルが上記分割領域のいずれに属するのかをそれぞれ判別していく。そして、各分割領域に属しているピクセル数を比較すれば、最も多くのピクセルが属する分割領域を求めることができる。従って、求められた領域から、上記原稿１０の地色が、無彩色又は有彩色のいずれであるのかを判別することができ、また、有彩色であれば１６色のいずれであるのかを判別することができる。
【００３９】
また、他の具体的方法として、原稿１０を構成する各ピクセルについて、Ｃｂデータ及びＣｒデータの組み合わせのヒストグラムを求め、ヒストグラムの度数が最大となるピクセルが、上記分割領域のいずれに属するのかを求めることもできる。さらに、他の具体的方法として、原稿１０を構成する各ピクセルについて、Ｃｂデータ及びＣｒデータのそれぞれについて個別にヒストグラムを求め、Ｃｂデータの度数が最大となり、かつ、Ｃｒデータの度数が最大となる位置が、上記分割領域のいずれに属するのかを求めることもできる。なお、いずれの場合でも、ヒストグラムを作成する際には、各分割領域内に少なくとも２以上のヒストグラムの階級（横軸の単位）が存在するようにしておくことが望ましい。例えば、Ｃｒデータの分解能やＣｂデータの分解能ごとにヒストグラムを作成すれば、精度よく色判定処理を行うことができる。
【００４０】
図４は、色差成分からなる２次元平面を示した図であり、無彩色領域Ａ２及び１６個の分割領域Ａ１が示されている。通常、色差成分（Ｃｂ及びＣｒ）からなる２次元平面では、原点を中心とする所定半径の円５７内の領域が無彩色領域Ａ２であり、その外側が有彩色領域となっている。上述した１６個の分割領域Ａ１は、例えば、原点を通る８本の直線、すなわち、Ｃｂ軸、Ｃｒ軸及び直線５１〜５６により有彩色領域を分割することによって構成される。
【００４１】
原稿の地色が有彩色である場合、この様な２次元平面上の分割領域Ａ１に基づいて、地色が判定される。原稿の地色が無彩色である場合には、Ｙデータに基づいて白色又は黒色のいずれであるかが判定される。すなわち、Ｙデータが所定値以上であれば白色であると判定され、Ｙデータが所定値未満であれば黒色であると判定される。この様にして、ＹＣｂＣｒデータに基づいて、有彩色領域の１６色と、無彩色領域の２色との計１８色の地色を判定することができる。
【００４２】
原稿判別部７３は、無地判定部７１及び色情報判定部７２の判定結果に基づいて、スキャナ２で読み取られた原稿１０が処理対象原稿１１及び処理指定原稿１２のいずれであるかを判別する原稿判別手段である。すなわち、無地判定部７１で無地原稿と判定され、かつ、色情報判定部７２で白色以外の地色と判定された原稿は、原稿判別部７３により処理指定原稿１２と判別される。一方、無地判定部７１で無地原稿ではないと判定された原稿や、無地判定部７１で無地原稿と判定された場合であっても、色情報判定部７２で地色が白色と判定された原稿は、原稿判別部７３により処理対象原稿１１と判別される。
【００４３】
ただし、上記のような構成に限らず、例えば無地判定部７１で無地原稿と判定され、かつ、色情報判定部７２で白色及び黒色以外の有彩色の地色と判定された原稿が、原稿判別部７３により処理指定原稿１２と判別されるような構成であってもよい。この場合、無地判定部７１で無地原稿ではないと判定された原稿や、無地判定部７１で無地原稿と判定された場合であっても、色情報判定部７２で地色が白色又は黒色の無彩色と判定された原稿は、原稿判別部７３により処理対象原稿１１と判別されるようになっていてもよい。
【００４４】
画像処理部７４は、原稿判別部７３による原稿の判別結果に基づき、スキャナ２で読み取られた処理対象原稿１１の画像データに対して、スキャナ２で読み取られた処理指定原稿１２の地色に対応する画像処理を行い、その画像データをプリンタ機構３や通信部４などに出力する画像処理手段である。ここで、メモリ６には、上述したようなコピー設定、送信設定及びスキャン設定などに対応する各種画像処理に、処理指定原稿１２の地色を表す各色情報が対応付けて記憶されている。したがって、画像処理部７４は、色情報判定部７２で判定した処理指定原稿１２の地色に対応する画像処理をメモリ６から読み出し、後続する処理対象原稿１１の画像データに対して当該画像処理を行うことができる。
【００４５】
つまり、段落００２７に記載したコピー設定に関する画像処理、送信設定に関する画像処理又はスキャン設定に関する画像処理のいずれかが処理指定原稿１２の地色によって指定され、地色により指定された画像処理が処理対象原稿１１に対して実行される。
【００４６】
処理指定原稿１２の地色によって指定される上記各画像処理は、スキャナ２により処理対象原稿１１から読み取られた画像データの出力先が異なっている。すなわち、コピー設定に関する画像処理では、スキャナ２で読み取られた画像データがプリンタ機構３に出力される。送信設定に関する画像処理では、スキャナ２で読み取られた画像データが通信部４に出力される。スキャン設定に関する画像処理では、スキャナ２で読み取られた画像データが保存先である他の通信端末に転送される。
【００４７】
図５は、スキャナ２で原稿１０が読み取られたときの制御部７による処理の一例を示したフローチャートである。処理対象原稿１１及び処理指定原稿１２を含む複数枚の原稿１０がスキャナ２で読み取られる場合、全ての原稿１０の読み取りが終了するまで（ステップＳ１０５でＹｅｓとなるまで）、原稿判別部７３により、各原稿１０が処理対象原稿１１及び処理指定原稿１２のいずれであるかが判別される（ステップＳ１０１，Ｓ１０３）。
【００４８】
そして、スキャナ２で読み取られた原稿１０が処理指定原稿１２であれば（ステップＳ１０１でＹｅｓ）、色情報判定部７２により判定された当該処理指定原稿１２の地色に対応する画像処理が、画像処理部７４により行われる画像処理として決定される（ステップＳ１０２）。その後、図２に示した例のように、後続する各原稿１０が処理対象原稿１１であれば（ステップＳ１０３でＹｅｓ）、各処理対象原稿１１に対して上記決定された画像処理が行われる（ステップＳ１０４）。
【００４９】
図２に示した例のように、その後に再び処理指定原稿１２が読み取られた場合には（ステップＳ１０１でＹｅｓ）、画像処理部７４により行われる画像処理が当該処理指定原稿１２の地色に対応する画像処理に更新され（ステップＳ１０２）、後続する各処理対象原稿１１に対して更新された画像処理が行われる（ステップＳ１０４）。
【００５０】
図６は、スキャナ２で原稿１０を読み取らせる際の他の態様について説明するための図である。この例では、複数枚の処理指定原稿１２が連続してスキャナ２で読み取られる場合について説明する。
【００５１】
この図６に示した例のように、スキャナ２で読み取られた原稿１０が処理指定原稿１２と判別され（図５のステップＳ１０１でＹｅｓ）、色情報判定部７２により判定された当該処理指定原稿１２の地色に対応する画像処理が、画像処理部７４により行われる画像処理として決定された後（ステップＳ１０２）、再び処理指定原稿１２が読み取られた場合には（ステップＳ１０１でＹｅｓ）、画像処理部７４により行われる画像処理が、既に決定されている画像処理に当該処理指定原稿１２の地色に対応する画像処理を加えた複数種類の画像処理に更新される。
【００５２】
したがって、その後に後続する各原稿１０が処理対象原稿１１であれば（ステップＳ１０３でＹｅｓ）、各処理対象原稿１１の画像データに対して上記複数種類の画像処理が行われることとなる（ステップＳ１０４）。このように、処理対象原稿１１の画像データに対して複数種類の画像処理を行わせたい場合には、それらの画像処理に対応する地色の各処理指定原稿１２を重ねて読み取らせるだけで、簡単に所望の画像処理を行わせることができる。
【００５３】
実施の形態２．
実施の形態１では、処理対象原稿１１の原稿束の前に処理指定原稿１２を挿入することにより、処理指定原稿１２の地色に基づいて決定された画像処理が、後続する処理対象原稿１１の画像データに対して行われるような構成について説明した。これに対して、実施の形態２では、処理対象原稿１１の原稿束の後に処理指定原稿１２を挿入することにより、予め読み取られた各処理対象原稿１１の画像データに対して、後続する処理指定原稿１２の地色に基づいて決定された画像処理が行われるようになっている。
【００５４】
図７は、本発明の実施の形態２による画像処理装置においてスキャナ２で原稿１０が読み取られたときの制御部７による処理の一例を示したフローチャートである。また、図８は、本発明の実施の形態２による画像処理装置においてスキャナ２で原稿１０を読み取らせる際の態様について説明するための図である。
【００５５】
本実施の形態において、処理対象原稿１１及び処理指定原稿１２を含む複数枚の原稿１０がスキャナ２で読み取られる場合、全ての原稿１０の読み取りが終了するまで（ステップＳ２０６でＹｅｓとなるまで）、原稿判別部７３により、各原稿１０が処理対象原稿１１及び処理指定原稿１２のいずれであるかが判別される（ステップＳ２０１，Ｓ２０３）という点は、実施の形態１の場合と同様である。しかし、各原稿１０が処理対象原稿１１又は処理指定原稿１２と判別されたときに行われる処理が、下記の通り実施の形態１とは異なっている。
【００５６】
すなわち、スキャナ２で処理対象原稿１１が読み取られた場合には（ステップＳ２０１でＹｅｓ）、その後に処理指定原稿１２が読み取られるまで（ステップＳ２０３でＹｅｓとなるまで）、１枚又は連続して読み取られる複数枚の処理対象原稿１１の画像データがメモリ６に格納される（ステップＳ２０２）。
【００５７】
そして、図８に示した例のように、その後に処理指定原稿１２が読み取られた場合には（ステップＳ２０３でＹｅｓ）、色情報判定部７２により判定された当該処理指定原稿１２の地色に対応する画像処理が、画像処理部７４により行われる画像処理として決定され（ステップＳ２０４）、予めメモリ６に格納されている各処理対象原稿１１の画像データに対して上記決定された画像処理が行われる（ステップＳ２０５）。
【００５８】
図８に示した例のように、その後に再び処理対象原稿１１が読み取られた場合には（ステップＳ２０１でＹｅｓ）、処理指定原稿１２が読み取られるまで各処理対象原稿１１の画像データが順次にメモリ６に格納され（ステップＳ２０２）、処理指定原稿１２が読み取られると（ステップＳ２０３でＹｅｓ）、それらの各処理対象原稿１１の画像データに対して当該処理指定原稿１２の地色に対応する画像処理が行われる（ステップＳ２０４，Ｓ２０５）。
【００５９】
以上の実施の形態では、２以上の原稿１０を読み取って、それらの原稿１０の地色及び無地原稿であるか否かを判定することにより処理対象原稿１１及び処理指定原稿１２を判別し、処理対象原稿１１の画像データに対して処理指定原稿１２の地色に対応する画像処理を行うことができる。これにより、例えば処理対象原稿１１からなる複数の原稿束を読み取る場合に、各原稿束に対して行う画像処理に対応する色の処理指定原稿１２を原稿束ごとに読み取ることにより、読み取った処理指定原稿１２の地色に基づく画像処理を対応する処理対象原稿１１の原稿束に対して行うことができる。
【００６０】
したがって、各原稿束に対応付けて１枚の処理指定原稿１２を読み取らせるだけで、各原稿束に対する画像処理を指定することができるので、各原稿束の間に挿入する白紙原稿の枚数に応じて画像処理の種類を異ならせるような構成とは異なり、より短時間で複数の原稿束を読み取り、各原稿束に対して異なる画像処理を行うことができる。
【００６１】
また、各原稿束の間に挿入する白紙原稿の枚数に応じて画像処理の種類を異ならせる構成のように、挿入する白紙原稿の枚数の数え間違いによって所望の種類とは異なる種類の画像処理が行われるのを防止でき、各原稿束に対して所望の画像処理をより確実に行うことができる。
【００６２】
ここで、自動原稿供給部５により複数枚の原稿１０をスキャナ２へ送り出す場合、原稿１０が搬送方向に対して斜めにずれた状態で搬送されてしまう場合がある。特に、複数枚の原稿１０の画像データに対して高速で画像処理を行うような画像処理装置においては、自動原稿供給部５により送り出される原稿１０の速度が速く、上記のような問題が生じやすい。また、自動原稿供給部５により送り出す複数枚の原稿１０のサイズが異なる場合にも、上記のような問題が生じやすい。
【００６３】
このように原稿１０が斜めにずれた状態で搬送された場合、処理指定原稿に表されたシンボルを読み取って、そのシンボルに対応する画像処理を行うような構成では、当該シンボルを良好に読み取ることができないおそれがある。これに対して、以上の実施の形態のように処理指定原稿１２の地色に対応する画像処理を行うような構成であれば、処理指定原稿１２が斜めにずれた状態で搬送された場合であっても、処理指定原稿１２の地色を良好に判定することができるので、処理対象原稿１１の画像データに対して所望の画像処理をより確実に行うことができる。
【００６４】
以上の実施の形態では、スキャナ２で読み取られた原稿１０が無地原稿であるか否かを無地判定部７１で判定するとともに、当該原稿１０の地色を色情報判定部７２で判定することにより、それらの判定結果に基づいて原稿判別部７３が処理対象原稿１１及び処理指定原稿１２を判別するような構成について説明した。しかし、このような構成に限らず、無地判定部７１を省略して、色情報判定部７２の判定結果のみに基づいて処理対象原稿１１及び処理指定原稿１２を判別するような構成であってもよい。この場合、処理指定原稿１２における色情報判定部７２による判定の対象となる面に、文字などを記載することが可能になるので、画像処理の種類を表す文字などを記載しておけば、その処理指定原稿１２に対応する画像処理の種類を確認しやすい。
【００６５】
ただし、以上の実施の形態のように、読み取られた２以上の原稿１０のうち無地原稿のみを処理指定原稿１２と判別し、その処理指定原稿１２の地色に対応する画像処理を処理対象原稿１１の画像データに対して行うような構成であれば、処理指定原稿１２と同じ色の原稿１０に文字などを記載して、処理対象原稿１１として使用することができる。すなわち、処理指定原稿１２と同じ色の処理対象原稿１１が誤って処理指定原稿１２と判別されるのを防止できるので、処理対象原稿１１の画像データに対して所望の画像処理をより確実に行うことができる。
【００６６】
なお、以上の実施の形態では、処理指定原稿１２の地色に対して１色につき１種類の画像処理が対応付けられた構成について説明したが、このような構成に限らず、１色につき２種類以上の画像処理が対応付けられた構成であってもよい。この場合、いわゆるマクロ機能によって１つのキー操作に対する画像処理として予め登録されている２種類以上の画像処理が、処理指定原稿１２の１色の地色に対応付けられたような構成であってもよい。
【００６７】
また、原稿１０の片面だけでなく両面を読み取って、当該両面の画像データに基づいて処理対象原稿１１及び処理指定原稿１２を判別するような構成であってもよい。ただし、原稿１０の一方の面のみを読み取って処理対象原稿１１及び処理指定原稿１２を判別するような構成であれば、処理指定原稿１２の一方の面を画像処理の種類に対応する地色とし、他方の面に画像処理の種類を表す文字などを記載しておくことができるので、その処理指定原稿１２に対応する画像処理の種類を確認しやすい。
【００６８】
また、以上の実施の形態では、色情報判定部７２が、スキャナ２で読み取った原稿１０の地色を判定する場合の例について説明した。この場合、原稿１０の地色というのは、スキャナ２に読み取らせる読み取り面の読み取り領域全体について単一の色のことであることから、色情報判定部７２は、読み取られた原稿１０全体を処理対象として色情報を判定するような構成であっても良いし、原稿１０全体ではなく原稿１０の一部分を処理対象として色情報を判定するような構成であっても良い。
【００６９】
以上の実施の形態では、画像処理装置の一例としてデジタル複合機１に本発明が適用された場合について説明したが、このような構成に限らず、本発明はデジタル複合機１以外の各種画像処理装置に適用可能である。例えば、段落００４４に記載したコピー設定に関する画像処理、送信設定に関する画像処理及びスキャン設定に関する画像処理のような原稿の読み取りを伴う全ての処理に本発明は適用することができる。
【００７０】
なお、実施の形態１及び２では、原稿の色情報の判定結果と、原稿が無地原稿であるか否かの判定結果との両方の判定結果に基づいて当該原稿が処理対象原稿又は処理指定原稿のいずれであるかを判定する場合の例について説明したが、本発明はこれに限られるものではない。例えば、原稿判別部７３が、無地原稿であるか否かに関わらず地色が有彩色である原稿を処理指定原稿として判別する第１モードと、原稿判別部７３が無地原稿であって地色が有彩色である原稿を処理指定原稿として判別する第２モードとを選択的に切り替える動作モード切替手段を備えた構成であっても良い。この場合、第１モードでは、地色が有彩色である原稿が処理指定原稿として判別され、地色が無彩色である原稿が処理対象原稿として判別される。この様に構成すれば、ユーザ操作などによって動作モードを切り替えることにより、文字などが印刷された用紙であっても地色が有彩色であれば処理指定原稿として用いることができる。また、第２モードでは、地色が有彩色の用紙であっても文字などが印刷されていれば処理対象原稿として用いることができる。
【図面の簡単な説明】
【００７１】
【図１】本発明の実施の形態１による画像処理装置の構成例を示したブロック図であり、画像処理装置の一例としてデジタル複合機を示している。
【図２】スキャナで原稿を読み取らせる際の態様について説明するための図である。
【図３】制御部の構成例を示した機能ブロック図である。
【図４】色差成分からなる２次元平面を示した図であり、無彩色領域Ａ２及び１６個の分割領域Ａ１が示されている。
【図５】スキャナで原稿が読み取られたときの制御部による処理の一例を示したフローチャートである。
【図６】スキャナで原稿を読み取らせる際の他の態様について説明するための図である。
【図７】本発明の実施の形態２による画像処理装置においてスキャナで原稿が読み取られたときの制御部による処理の一例を示したフローチャートである。
【図８】本発明の実施の形態２による画像処理装置においてスキャナで原稿を読み取らせる際の態様について説明するための図である。
【符号の説明】
【００７２】
１  デジタル複合機
２  スキャナ
５  自動原稿供給部５
７  制御部
１０  原稿
１１  処理対象原稿
１２  処理指定原稿
７１  無地判定部
７２  色情報判定部
７３  原稿判別部
７４  画像処理部
【図１】
2009044284.tif 000003
【図２】
2009044284.tif 000004
【図３】
2009044284.tif 000005
【図４】
2009044284.tif 000006
【図５】
2009044284.tif 000007
【図６】
2009044284.tif 000008
【図７】
2009044284.tif 000009
【図８】
2009044284.tif 000010